(57)【要約】【課題】肌触りが良く且つ保温効果の高い保温サポーターを提供する。【解決手段】少なくとも２０％の吸湿発熱繊維糸と少なくとも４０％の絹糸とを混ぜて紡績した糸をループ状にして絡ませることにより伸縮性を有して筒状に編み上げて形成され、着用する身体の部位に応じて一重又は複数重に畳み込まれた状態で前記身体の所定部位を包み込むように使用される。【選択図】図１
0003223255.tif 000002
【実用新案登録請求の範囲】
【請求項１】
身体の部位に着用する保温サポーターであって、
少なくとも２０％の吸湿発熱繊維糸と少なくとも４０％の絹糸とを混ぜて紡績した糸をループ状にして絡ませることにより伸縮性を有して筒状に編み上げて形成され、着用する身体の部位に応じて一重又は複数重に畳み込まれた状態で前記身体の所定部位を包み込むように使用される保温サポーター。
【請求項２】
前記吸湿発熱繊維糸及び前記絹糸に２乃至５％のゴム糸を混ぜて紡績した糸を筒状に編み上げて形成した請求項1に記載の保温サポーター。
【請求項３】
前記筒の長さは人の頭部に被せたとき、両目、両耳、こめかみ、首のうなじの部分を被覆可能な寸法を有する請求項1又は２に記載の保温サポーター。
【請求項４】
少なくとも２重に折り曲げて人の頭部に被せたときでも両目、両耳、こめかみ、首のうなじの部分を重ねて被覆可能な寸法を有する請求項３に記載の保温サポーター。
【請求項５】
前記部位は、腰、手首、足首、首、膝、腕、脚である請求項１又は２に記載の保温サポーター。
【請求項６】
前記ループ状にした糸を横方向に筒状に編み上げて形成した請求項1乃至４の何れか1項に記載の保温サポーター。
【考案の詳細な説明】
【技術分野】
【０００１】
本考案は、身体の各部位の保温を行う保温サポーターに関する。
【背景技術】
【０００２】
身体の各部位を保温する保温サポーターとして、親水性繊維から成る編み糸と、疎水性繊維から成る編み糸を使用し、添え糸編み技法によって編成し、親水性繊維から成る編み糸が内層に配置され、疎水性繊維から成る編み糸が外層に配置された２層構造を有する保温サポーターが知られている（例えば、特許文献１を参照）。
【０００３】
また、遠赤外線波長領域で高い放射率を有するアルミナとシリカの混合物を主成分としたセラミック粒子をバインダーによって付着させて成る保温サポーターも知られている（例えば、特許文献２を参照）。
【先行技術文献】
【特許文献】
【０００４】
【特許文献１】特開２０１１−５８１３８号公報
【特許文献２】特開平１１−２６９７６１号公報
【考案の概要】
【考案が解決しようとする課題】
【０００５】
特許文献１のサポーターは、運動中など汗をかいている発汗状況では、内層の親水性繊維によって汗や水分が吸収されるとともに発散され、湿性による蒸れやかゆみの発生を低減させ、外層の疎水性繊維は外層から発散される汗や水分を吸水することなく発散させるので、皮膚表面を乾燥傾向に保ち、かつまた、親水性繊維による冷涼感を疎水性繊維が抑制し、サポーター全体として保温効果を保つものである。
【０００６】
しかしながら、特許文献１のサポーターは、主に運動時に用いられて、温度の上昇を抑えることで発汗による不快感の抑制を目的としている。したがって、保温機能を高める用途のサポーターとしては不向きである。
【０００７】
一方、特許文献２のサポーターは、保温機能では高い効果が認められるが、吸水性が低く発汗したときの肌触りが悪く不快感を生じさせることになる。
【０００８】
上記点から本考案は、肌触りが良く且つ保温効果の高い保温サポーターを提供することを目的としている。
【課題を解決するための手段】
【０００９】
上記課題を解決するために、本考案による身体の部位に着用する保温サポーターは、少なくとも２０％の吸湿発熱繊維糸と少なくとも４０％の絹糸とを混ぜて紡績した糸をループ状にして絡ませることにより伸縮性を有して筒状に編み上げて形成され、着用する身体の部位に応じて一重又は複数重に畳み込まれた状態で使用される。
【００１０】
また、前記吸湿発熱繊維糸及び前記絹糸に２乃至５％のゴム糸を混ぜて紡績した糸を筒状に編み上げて形成することにより、より伸縮性を高めるようにする。これにより、身体の部位を保持する方向での伸縮性を確保できるため、使用中のずれ落ちを防止できる。
【００１１】
身体の部位に着用する保温サポーターであって、吸湿発熱繊維と絹を混ぜて紡績した糸をループ状にして絡ませながら筒状に編み上げて形成する。
【００１２】
ある実施形態では、前記筒の長さは人の頭部に被せたとき両目、両耳、こめかみ、首のうなじの部分を被覆可能な寸法としている。かかる保温サポーターを睡眠時に着用することで、頸部のツボや両目の周辺が温まり副交感神経の活性化を促すことで、スムーズに眠りに入り易くすることができる。
【００１３】
さらに、少なくとも２重に折り曲げて人の頭部に被せたときでも両目、両耳、こめかみ、首のうなじの部分を重ねて被覆可能な寸法とすれば、より保温効果が向上する。
【００１４】
また、本考案による保温サポーターは、腰、手首、足首、首、膝、腕、脚の各部位を保温することができる。
【考案の効果】
【００１５】
本考案による保温サポーターは、吸湿発熱繊維による発熱機能と、保湿性、吸湿性、通気性に優れるシルクの肌触りの良さとで、肌に長時間接しても利用者に不快感を与えることがない。
【図面の簡単な説明】
【００１６】
【図１】本考案に係る保温サポーターの外観図を示す。
【図２】図１の保温サポーターの編織構造図を示す。
【図３】保温サポーターの使用形態の説明図を示す。
【図４】保温サポーターを折り返して二重にした状態の外観斜視図を示す。
【図５】保温サポーターの別の使用形態の説明図を示す。
【図６】保温サポーターのさらに別の使用形態の説明図を示す。
【考案を実施するための形態】
【００１７】
以下、本考案の実施の形態を図面に基づき具体的に説明する。図１は本考案の一実施形態である保温サポーター１を示している。保温サポーター１は、水分を吸収して発熱しり吸湿発熱繊維と絹を混ぜて紡績した糸をループ状にして絡ませながら筒状に編み上げて形成される。このときの吸湿発熱繊維と絹との混紡率は、絹の比率を８０％から４０％の範囲とし、残余の２０％から６０％を吸湿発熱繊維とする。
【００１８】
ループ状にした吸湿発熱繊維と絹の混紡糸を、図２に示すように、一重の状態で筒状に横方向に編み上げていくと、伸縮性が幅方向Ｗに多く発現し、長さ方向Ｌには多少発現するようになる。よって、保温サポーター１の筒の中に身体の部位を通すときには、幅方向Ｗに伸長させることで装着しやすく、部位を通した後の着用状態では収縮することで部位に密着する。さらに伸縮性を求めるのであれば、吸湿発熱繊維と絹に更にゴム糸を加えることができる。しかし、過度の収縮性は部位を締めすぎることになって血流を悪化させる。よって、ゴム糸の混紡率は、２％から５％とすることで、保温サポーター１がずれてしまうことがない適度な締め付け力が付与される。
【００１９】
吸湿発熱繊維は、物質が水分を吸着した時に熱を発するという特性（吸着熱）を利用したもので、詳細には、水分が繊維表面の水酸基などに吸着されて運動エネルギーを熱エネルギーに変換する繊維である。発熱素材にはアクリル系素材やキュプラを使用した素材など多様な種類があるが、軽量性、ストレッチ性などを備えた素材が最適である。
【００２０】
シルクは、肌ざわりの良さに加え、豊かな吸湿性や通気性、保温性を有する素材である。
【００２１】
このような特徴を備える吸湿発熱繊維とシルクの混紡糸で編み上げて作製される保温サポーター１を身体の部位に着用すると、吸湿発熱繊維が汗を吸収して発熱するのに相俟って、シルクの吸湿性及び通気性から肌触りがよいばかりか、夏場は放熱、冬場は保温と年間を通じて快適性が保たれる。そして、吸湿発熱繊維とシルクの特徴を相互作用で効果的に引き出すには、吸湿発熱繊維と絹との最適な混紡率は、絹が６０％で吸湿発熱繊維が４０％の比率である。そして、ゴム糸を含有させるときには、絹６０％に対しゴム糸が上記の２％から５％、残余を吸湿発熱繊維とするのが適切である。
【００２２】
上記構成の保温サポーター１は、図３に示すように、人の両目、両耳、こめかみ、首のうなじの部分を被覆するよう頭部に被せたとき、両目及びこめかみの周辺と耳が温められ筋肉が弛緩して血行が良くなる。目の周辺には、さん竹、瞳子りょう、睛明の各ツボがあり、また、耳には自律神経の交感神経と副交感神経とを調整するツボである神門やその他の体の各部位のツボが密集しており、これらのツボが温められることで血流が促されてリラックスでき、疲れ目や眼精疲労等の回復にもなる。
【００２３】
このように、保温サポーター１を頭部に被せて就寝すると、副交感神経が優位となって快眠につながる。しかも、吸湿発熱繊維とシルクを素材にしているため、生地が薄手で軽量且つストレッチ性を有しているため違和感なく着用できて、就寝の妨げとなることもない。
【００２４】
保温サポーター１は、頭部以外にも腰、手首、足首、首、膝、腕、脚などに着用される。そして、図５に示すように、手首と手のひらを共に被覆すれば、手首と手のツボを同時に温められることによるリラックス効果がある。また、図６に示すように足首と足裏とを共に被覆すれば、足首と足裏のツボを同時に温めることによるリラックス効果がある。
【００２５】
保温サポーター１を編み上げて作製する際、長さ方向Ｌの寸法を余裕を持った長さとするとよい。そうすれば、図４に示すように、着用する部位によっては折り返して使用することができるばかりか、保温性を高めることにもなる。一回の折り返しで二重に部位を被覆すれば、部位の表面温度が略０．３℃の上昇が認められ、さらに折り返して四重にして用いれば１．２℃以上の温度上昇が確認された。このように、四重に折り返しても、生地が薄手のため着用した部位が極端に分厚くなることがない。
【００２６】
以上の構成の保温サポーター１によれば、保温による発汗や皮膚温度の上昇による蒸れ、かゆみが抑制されて長時間着用できる。
【符号の説明】
【００２７】
１      保温サポーター
Ｗ      幅方向
Ｌ      長さ方向
【図１】
0003223255.tif 000003
【図２】
0003223255.tif 000004
【図３】
0003223255.tif 000005
【図４】
0003223255.tif 000006
【図５】
0003223255.tif 000007
【図６】
0003223255.tif 000008